(57)【要約】【課題】  子供の頭部上方空間に入射する光の強さを調節することのできる子守帯を提供する。【解決手段】  子守帯１は、子供を保持する子供保持部材１０と、使用者が装着する装着ベルト２と、子供保持部材１０に取付けられ子供の頭部の上方空間を覆うように延在する幌部材２０とを備える。幌部材２０は、内側幌布２１と、外側幌布２２とからなる２重構造を有している。内側幌布２１と外側幌布２２とは材質が異なる。外側幌布２２は、内側幌布２１の全領域を覆う閉鎖位置から、内側幌布２１の全領域を開放する開放位置にまで畳むことができるようにされている。【選択図】      図１
2006271858.tif 000002
【特許請求の範囲】
【請求項１】
子供を保持する子供保持部材と、
使用者が装着する装着ベルトと、
前記子供保持部材に取付けられ、子供の頭部の上方空間を覆うように延在する幌部材とを備え、
前記幌部材は、内側幌布と外側幌布とからなる２重構造を有しており、
前記内側幌布と前記外側幌布とは、材質が異なり、
前記外側幌布は、前記内側幌布の全領域を覆う閉鎖位置から、前記内側幌布の全領域を開放する開放位置にまで畳むことができるようにされている、子守帯。
【請求項２】
前記内側幌布は、目の細かいメッシュ地で形成され、
前記外側幌布は、光反射性素材で形成されている、請求項１に記載の子守帯。
【請求項３】
前記子供保持部材の背当て部の背面には、光反射性素材が貼り付けられている、請求項１または２に記載の子守帯。
【請求項４】
前記幌部材は、立体的な形状を維持し得るように逆Ｕ字状の形状で幅方向に延びる第１幌骨および第２幌骨と、
前記第１幌骨および第２幌骨を回動可能に支持するベース部材とを備え、
前記内側幌布は、前記第１幌骨および第２幌骨に接続されている、請求項１〜３のいずれかに記載の子守帯。
【請求項５】
前記外側幌布を前記閉鎖位置から前記開放位置にまで引き寄せる引き寄せ手段を備える、請求項１〜４のいずれかに記載の子守帯。
【請求項６】
前記引き寄せ手段は、前記外側幌布の先端部に連結された紐と、
前記紐を受入れて前記外側幌布の先端部から基端部にまで延びるように前記外側幌布に形成された紐案内通路とを備える、請求項５に記載の子守帯。
【発明の詳細な説明】
【技術分野】
【０００１】
この発明は、子供を抱っこしたり、背負ったりするための子守帯に関するものである。
【背景技術】
【０００２】
子守帯は、子供を保持するための子供保持部材と、使用者が装着する装着ベルトとを備える。子守帯によって子供を抱っこしたり、背負ったりして戸外に出るとき、紫外線を含んだ強い直射日光が子供の顔に当たるのを避けたい。
【０００３】
特開２００４−２４８８７９号公報（特許文献１）は、日除けや風塵除けとして機能するつば部を設けたベビーキャリアを開示している。具体的には、ベビーキャリアは、幼児の背面側にあてがう本体部と、この本体部の頭部側周縁から立ち上がるガード部と、基端縁がガード部の上端縁に取付けられて起立可能なつば部とを備えている。
【特許文献１】特開２００４−２４８８７９号公報
【発明の開示】
【発明が解決しようとする課題】
【０００４】
特開２００４−２４８８７９号公報に開示されたつば部は、子供の頭頂部のみを覆う大きさのものであり、種々の方向から子供の顔に向かって差し込んでくる日差しを十分に防ぐことができない。特に子供の顔の側方から差し込んでくる日差しを十分に防ぐことができない。
【０００５】
また、特開２００４−２４８８７９号公報に開示された子守帯のつば部は、起立して子供の頭部上方空間を覆う起立位置と、下方に反転して子供の頭部上方空間を開放する開放位置とに選択的に切換え可能になっている。子供に対してより良い環境を与えるためには、このような２状態の切換だけでは不十分である。すなわち、日差しの強さに関して言えば、非常に強烈な日差しのときもあれば、それほど強くない日差しのときもある。さらに、風の強さに関しても、強弱がある。特開２００４−２４８８７９号公報に開示されたつば部付き子守帯では、入射する光の強さの調節や、入り込む風の強さの調節を行うことができない。
【０００６】
この発明の目的は、子供の頭部上方空間に入射する光の強さを調節することのできる子守帯を提供することである。
【０００７】
この発明の他の目的は、種々の方向からの日差しが子供の顔に当たるのを防ぐことのできる子守帯を提供することである。
【課題を解決するための手段】
【０００８】
この発明に従った子守帯は、子供を保持する子供保持部材と、使用者が装着する装着ベルトと、子供保持部材に取付けられ、子供の頭部の上方空間を覆うように延在する幌部材とを備える。幌部材は、内側幌布と外側幌布とからなる２重構造を有している。内側幌布と外側幌布とは、材質が異なる。また、外側幌布は、内側幌布の全領域を覆う閉鎖位置から、内側幌布の全領域を開放する開放位置にまで畳むことができるようにされている。
【０００９】
上記構成の本発明によれば、少なくとも次の３状態を実現できる。
【００１０】
（１）第１の状態
内側幌布および外側幌布の２重構造で子供の頭部上方空間を覆う状態であり、光および風の遮断効果が高い。
【００１１】
（２）第２の状態
外側幌布を開放位置にまで畳み、内側幌布のみで子供の頭部上方空間を覆う状態であり、光や風の強さを緩和する効果がある。
【００１２】
（３）第３の状態
内側幌布および外側幌布の両者を開放位置にまで畳み、子供の頭部上方空間を開放する状態である。
【００１３】
この発明の一実施形態では、内側幌布は、目の細かいメッシュ地で形成され、外側幌布は、光反射性素材で形成されている。
【００１４】
好ましくは、子供保持部材の背当て部の背面には、光反射性素材が貼り付けられている。子供を横抱き状態で抱っこする場合、子供保持部材の背当て部は、道路の路面に対面する。この場合、子供保持部材の背当て部の背面に貼り付けられた光反射性素材は、路面からの輻射熱を反射する。好ましくは、外側幌布の光反射性素材と背当て部背面の光反射性素材とは、隙間無く連続的に形成されている。
【００１５】
好ましくは、幌部材は、立体的な形状を維持し得るように逆Ｕ字状の形状で幅方向に延びる第１幌骨および第２幌骨と、第１幌骨および第２幌骨を回動可能に支持するベース部材とを備える。内側幌布は、第１幌骨および第２幌骨に接続されている。このように回動可能な第１幌骨および第２幌骨を備えることにより、大きな面積で子供の頭部上方空間を覆うことができる。また、幌骨が回動可能であるので、幌部材の開き角度を適度に調節することができる。
【００１６】
好ましくは、外側幌布を閉鎖位置から開放位置にまで引き寄せる引き寄せ手段を備える。このような引き寄せ手段を備えることにより、外側幌布の畳み動作が容易になる。引き寄せ手段は、例えば、外側幌布の先端部に連結された紐と、紐を受入れて外側幌布の先端部から基端部にまで延びるように外側幌布に形成された紐案内通路とを備える。
【発明を実施するための最良の形態】
【００１７】
図１は、この発明の一実施形態に係る子守帯の使用状態を示している。子守帯１は、子供を保持する子供保持部材１０と、母親等の使用者が装着する装着ベルト２と、子供保持部材１０に取付けられ、子供の頭部上方空間を覆うように延在する幌部材２０とを備える。子供保持部材１０と装着ベルト２とは複数の箇所で接続されている。図１は、子供を横抱きの状態で抱っこしており、装着ベルト２は使用者の肩にたすき掛けの状態で使用されている。
【００１８】
子供保持部材１０は、子供の背中部分を支える背当て部１１を有しており、この背当て部１１の上方端部分は、上方に屈曲して立ち上がり、子供の頭頂部を覆うように形成されている。
【００１９】
図２に示すように、幌部材２０は、立体的な形状を維持し得るように逆Ｕ字状の形状で幅方向に延びる第１幌骨２４と、第２幌骨２５と、第１および第２幌骨を軸２６を介して回動可能に支持するベース部材２３と、第１幌骨２４および第２幌骨２５に接続されている内側幌布２１と、内側幌布２１上に重なるように配置された外側幌布２２とを備える。
【００２０】
幌部材２０のベース部材２３は、子供保持部材１０の背当て部１１の上方端に取外し可能に連結される。２重構造を形成する内側幌布２１と外側幌布２２とは、材質が異なる。例えば、内側幌布２１は、目の細かいメッシュ地で形成され、外側幌布２２は、光反射性素材で形成されている。
【００２１】
外側幌布２２は、図２に示す内側幌布２１の全領域を覆う閉鎖位置から、図４に示す内側幌布２１の全領域を開放する開放位置にまで畳むことができるようにされている。このような外側幌布２２の畳み動作を容易に行うために、幌部材２０は、外側幌布２２を閉鎖位置から開放位置にまで引き寄せる引き寄せ手段を備える。
【００２２】
図５〜図７を参照して、引き寄せ手段の詳細を説明する。引き寄せ手段は、外側幌布２２の先端部分に入れられている補強線３０に連結された２本の紐２７，２７と、紐２７を受入れて外側幌布２２の先端部から基端部にまで延びるように外側幌布２２に形成された２つの紐案内通路２８，２８と、２つの紐案内通路２８，２８から出てきた紐２７，２７を抵抗を加えながら通過させる紐通し部材２９とを備える。
【００２３】
図２および図５に示す状態から、紐２７を後方に引出すと、外側幌布２２だけが内側幌布２１上を後方に向かって移動する。図３および図６は、第１幌骨２４と第２幌骨２５との間に位置する内側幌布２１を露出させている状態を示し、図４は内側幌布２１の全領域を露出させている状態を示している。
【００２４】
２本の紐２７，２７を同時に後方に引出せば、外側幌布２２の幅方向の左右部分を同時に後方に向かって移動させることが可能である。他方、２本の紐２７，２７のうち例えば幅方向に見て左側に位置する紐２７のみを後方に引出せば、外側幌布２２の幅方向の左側部分のみを後方に移動させることが可能になる。
【００２５】
図１に示すように、子供を横抱きの状態で抱っこする場合、子供保持部材１０の背当て部１１が道路の路面に対面するようになる。道路からの輻射熱を反射するために、図８に示すように子供保持部材１０の背当て部１１の背面には、光反射性素材３１が貼り付けられている。好ましくは、光反射性素材で形成された外側幌布２２と、背当て部１１の背面に貼り付けられた光反射性素材３１とは、隙間無く連続的に形成されている。図８において、光反射性素材が位置する領域に斜線を施している。
【００２６】
幌部材２０の役割は、光や風が子供の頭部上方空間に入り込むのを遮断するということのみならず、子供の顔の周囲の明るさを適度に調節するという機能も併せ持つ。このような明るさ調節機能は、幌部材２０が内側幌布２１と外側幌布２２とからなる２重構造を有していることによって実現可能となるものである。
【００２７】
図１〜図８に示した実施形態によれば、以下の状態を実現できる。
【００２８】
（１）第１の状態
内側幌布２１および外側幌布２２の２重構造で子供の頭部上方空間を覆う状態であり、光および風等の遮断効果が高い。この第１の状態は、図２および図５に示す状態である。
【００２９】
（２）第２の状態
外側幌布２２を開放位置にまで畳み、内側幌布２１のみで子供の頭部上方空間を覆う状態であり、光や風等の強さを緩和する効果がある。この第２の状態は、図４に示す状態である。
【００３０】
（３）第３の状態
内側幌布２１および外側幌布２２の両者を開放位置にまで畳み、子供の頭部上方空間を開放する状態である。
【００３１】
上記の３状態に加えて、次の状態も実現可能である。
【００３２】
（４）第４の状態
外側幌布２２を途中位置まで畳み、内側幌布２１のほほ半分の領域を露出させる状態である。この状態は、図３および図６に示す状態である。
【００３３】
（５）第５の状態
第１幌骨２４を第２幌骨２５にほぼ重なる位置まで移動させ、幌部材２０の展開角度をほほ半分にした状態である。
【００３４】
（６）第６の状態
外側幌布２２の幅方向左右領域の畳み動作を不均一にし、内側幌布２１の幅方向の左側領域または右側領域の一方のみを露出させる状態である。
【００３５】
周囲の気象条件、周囲の明るさ、子供の状態等に応じて幌部材の形態を適切に変更することにより、子供に対して最適な環境を与えることができる。例えば、子供保持部材１０内の子供が眠っているときには、ある程度の通気性を維持しながら明るさの度合いを弱めるために、内側幌布２１のみで子供の頭部上方空間を覆うようにすることが可能である。
【００３６】
図示した実施形態では、子供を母親の前で横抱きしている状態を示したが、子供を母親の前で縦抱きしている状態や、背中側で背負う状態にした子守帯にも、この発明を適用することが可能である。
【００３７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３８】
この発明は、子供に対して快適な使用環境を与える子守帯として有利に利用され得る。
【図面の簡単な説明】
【００３９】
【図１】この発明の一実施形態に係る子守帯の使用状態を示す斜視図である。
【図２】この発明の一実施形態に係る幌部材を側方から見た縦断面図である。
【図３】図２に示す状態から、外側幌布を途中位置まで畳んだ状態を示す縦断面図である。
【図４】図２に示す状態から、外側幌布を開放位置にまで畳んだ状態を示す縦断面図である。
【図５】この発明の一実施形態に係る幌部材の平面図である。
【図６】外側幌布を途中位置にまで畳んだ状態の幌部材の平面図である。
【図７】外側幌布を閉鎖位置から開放位置にまで引き寄せる引き寄せ手段の一例を示す断面図である。
【図８】子供保持部材の背面側を示す図である。
【符号の説明】
【００４０】
１  子守帯、２  装着ベルト、１０  子供保持部材、１１  背当て部、１１ａ  背当て部の上方端部分、２０  幌部材、２１  内側幌布、２２  外側幌布、２３  ベース部材、２４  第１幌骨、２５  第２幌骨、２６  軸、２７  紐、２８  紐案内通路、２９  紐通し部材、３０  補強線、３１  光反射性素材。
【図１】
2006271858.tif 000003
【図２】
2006271858.tif 000004
【図３】
2006271858.tif 000005
【図４】
2006271858.tif 000006
【図５】
2006271858.tif 000007
【図６】
2006271858.tif 000008
【図７】
2006271858.tif 000009
【図８】
2006271858.tif 000010